(57)【要約】【課題】装着者の口及びその近傍にフィットして隙間が生じてしまうのを確実に回避することができるとともに、装着に手間がかからず且つ装着感を向上させることができるマスクを提供する。【解決手段】装着者の口及びその近傍を覆いつつ空気を透過可能なマスク本体１から成るマスクにおいて、マスク本体１は、装着者の口及びその近傍と密着し得る低反発のウレタンフォームから成るとともに、当該マスク本体１の両縁には装着者の耳に引掛けて当該マスク本体１を装着者に装着させ得る耳掛け部２が形成されたものである。【選択図】図１
2008136754.tif 000002
【特許請求の範囲】
【請求項１】
装着者の口及びその近傍を覆いつつ空気を透過可能なマスク本体から成るマスクにおいて、
前記マスク本体は、装着者の口及びその近傍と密着し得る低反発のウレタンフォームから成るとともに、当該マスク本体の両縁には装着者の耳に引掛けて当該マスク本体を装着者に装着させ得る耳掛け部が形成されたことを特徴とするマスク。
【請求項２】
前記耳掛け部は、装着者の耳の形状に倣って屈曲形成された樹脂成形品から成ることを特徴とする請求項１記載のマスク。
【請求項３】
前記マスク本体の上部には、内側に膨出した所定形状の膨出部が形成されていることを特徴とする請求項１又は請求項２記載のマスク。
【請求項４】
前記マスク本体を構成する低反発のウレタンフォームには、竹炭が含有されたことを特徴とする請求項１〜請求項３の何れか１つに記載のマスク。
【発明の詳細な説明】
【技術分野】
【０００１】
本発明は、装着者の口及びその近傍を覆うためのマスクに関するものである。
【背景技術】
【０００２】
従来のマスクは、ガーゼや不織布から成るマスク本体で主に構成されるとともに、その左右縁部からゴム等から成る耳掛け部が延設され、これら左右の耳掛け部を耳に引掛けることにより当該マスク本体を装着者の口及びその近傍（装着者の鼻を含む）を覆うことが可能とされていた。また、マスク本体の内側に厚手のガーゼ等から成る別個のフィルタを介装させ、外部との遮蔽効果を高めるものも提案されていた。尚、かかる先行技術は、文献公知発明に係るものでないため、記載すべき先行技術文献情報はない。
【発明の開示】
【発明が解決しようとする課題】
【０００３】
しかしながら、上記従来のマスクにおいては、別個介装したフィルタが装着者の口及びその近傍の輪郭にフィットさせるのが困難であるという問題があった。即ち、人の顔面は、３次元的に複雑な形状とされているため、装着者の口及びその近傍をマスクにて覆う際、内側のフィルタが顔面形状に追従せず、例えば頬とフィルタ或いは鼻とフィルタとの間に隙間が生じてしまうという問題があった。また、フィルタが装着者の口及びその近傍の形状になじまず、接触した部分及び離間した部分が生じていると、当該接触した部分の顔面に対する面圧が高くなり、装着感が悪化してしまうという問題もあった。
【０００４】
更に、従来のマスクにおいては、マスク本体と装着者との間に別個のフィルタを介装させる必要があるため、それぞれの装着が必要となって装着に手間がかかってしまうとともに、使用時に介在させたフィルタがずれてしまうことが多く、装着感があまりよくないという問題もあった。
【０００５】
本発明は、このような事情に鑑みてなされたもので、装着者の口及びその近傍にフィットして隙間が生じてしまうのを確実に回避することができるとともに、装着に手間がかからず且つ装着感を向上させることができるマスクを提供することにある。
【課題を解決するための手段】
【０００６】
請求項１記載の発明は、装着者の口及びその近傍を覆いつつ空気を透過可能なマスク本体から成るマスクにおいて、前記マスク本体は、装着者の口及びその近傍と密着し得る低反発のウレタンフォームから成るとともに、当該マスク本体の両縁には装着者の耳に引掛けて当該マスク本体を装着者に装着させ得る耳掛け部が形成されたことを特徴とする。
【０００７】
請求項２記載の発明は、請求項１記載のマスクにおいて、前記耳掛け部は、装着者の耳の形状に倣って屈曲形成された樹脂成形品から成ることを特徴とする。
【０００８】
請求項３記載の発明は、請求項１又は請求項２記載のマスクにおいて、前記マスク本体の上部には、内側に膨出した所定形状の膨出部が形成されていることを特徴とする。
【０００９】
請求項４記載の発明は、請求項１〜請求項３の何れか１つに記載のマスクにおいて、前記マスク本体を構成する低反発のウレタンフォームには、竹炭が含有されたことを特徴とする。
【発明の効果】
【００１０】
請求項１の発明によれば、マスク本体が装着者の口及びその近傍と密着し得る低反発のウレタンフォームから成るので、装着者の口及びその近傍にフィットして隙間が生じてしまうのを確実に回避することができるとともに、装着者の口及びその近傍の形状になじんで略均一に密着することとなって装着感を向上させることができる。
【００１１】
また、マスク本体が装着者の口及びその近傍と密着し得る低反発のウレタンフォームから成るので、当該マスク本体が従来のフィルタとしての機能を果たし、別個のフィルタ等を不要とすることができる。従って、マスクの装着に手間がかからない。更に、別個のフィルタ等を不要とすることから、使用時にフィルタ等がずれてしまうことがなく、装着感をより向上させることができる。
【００１２】
請求項２の発明によれば、耳掛け部は、装着者の耳の形状に倣って屈曲形成された樹脂成形品から成るので、装着時の手間をより省くことができるとともに、マスク本体を装着者に確実に装着させることができる。
【００１３】
請求項３の発明によれば、マスク本体の上部には、内側に膨出した所定形状の膨出部が形成されているので、かかる膨出部で装着者の鼻の上部を覆わせることができ、鼻とフィルタとの間に隙間が生じてしまうのをより確実に回避することができる。
【００１４】
請求項４の発明によれば、低反発のウレタンフォームには、竹炭が含有されたので、竹炭による消臭、抗菌効果或いは防カビ効果等を奏することができる。
【発明を実施するための最良の形態】
【００１５】
以下、本発明の実施形態について図面を参照しながら具体的に説明する。
本実施形態に係るマスクは、医療用や防塵用等種々用途に使用されるもので、図１に示すように、装着者の口及びその近傍を覆いつつ空気を透過可能なマスク本体１と、装着者の耳に引掛けてマスク本体１を装着者に装着させ得る耳掛け部２とから主に構成されている。
【００１６】
マスク本体１は、装着者の口及びその近傍と密着し得る低反発のウレタンフォームから成るとともに、その両縁（左右縁部）に左右一対の耳掛け２が取り付けられたものである。ここで、マスク本体１は、低反発のウレタンフォームから成るものであり、図３に示すように、装着時に装着者の口及びその近傍と密着しつつ覆う寸法及び形状とされている。尚、「低反発のウレタンフォーム」とは、荷重が付与されて変形し後、その荷重を解いても当該変形がしばらくの間維持されるものをいう。
【００１７】
また、この低反発のウレタンフォームには、竹炭が含有されており、かかる竹炭による消臭効果、抗菌効果及び防カビ効果を奏し得るようになっている。含有する竹炭からは、マイナスイオンや遠赤外線が放出されることが知られており、これらにより、血行を良好とし疲労を回復することができるとともに、リラクゼーション効果や疲労回復効果を装着者に付与することができる。
【００１８】
然るに、このようなマスク本体１は、例えば、ウレタンの原料に、粉末状の竹炭を所定量添加した後、成型し、図１の如き形状に加工して得ることができ、その低反発性故、マスク装着時に装着者の口及びその近傍の形状に沿って変形し、その変形が所定時間維持されるよう構成されている。すなわち、マスク装着時には、マスク本体１が直接、装着者の口及びその近傍に押圧されるのであるが、当接押圧によりマスク本体１が装着者の顔面形状に倣って変形し、且つ、その変形が所定時間維持されるのである。
【００１９】
従って、本実施形態によれば、上記の如くマスク本体１が低反発のウレタンフォームから成るので、装着者の口及びその近傍にフィットして隙間が生じてしまうのを確実に回避することができるとともに、装着者の口及びその近傍の形状になじんで略均一に接触することとなって装着感を向上させることができる。また、低反発のウレタンフォームは、材質の目が細かいことから、花粉など微細な浮遊物がフィルタを通過してしまうのを確実に回避することができ、花粉対策にも好適である。更に、ウレタンから成る本マスクは、水洗いが可能であり、何回でも洗って使用することができる。
【００２０】
耳掛け部２は、装着者の耳の形状に倣って屈曲形成された樹脂成形品から成るものであり、マスク本体１の両縁１ａ、１ａを内側に巻くことにより形成された被取付部１ｂに挿通されてマスク本体１の左右の縁１ａ、１ａそれぞれに固定されたものである。尚、被取付部１ｂは、マスク本体１の縁１ａ、１ａをそれぞれ内側に巻き、巻かれた端部を熱溶着等にて固定することにより形成されたものであるのが好ましい。
【００２１】
また、耳掛け部２は、図２に示すように、取付部２ａと、屈曲部２ｂとを具備したチューブ状樹脂部材とから成るとともに、その内部には針金など線状金属等から成る芯部材３を有している。即ち、耳掛け部２の形状が芯部材３により維持され、直線形状の取付部２ａ及び屈曲形状の屈曲部２ｂの双方の形状維持が図られているのである。かかる耳掛け部２に代えて、内部に芯部材３を有さない成形品（樹脂成形品等）としてもよい。
【００２２】
更に、芯部材３の基端（マスク本体１との取付け部位側）は、矢印状に折り返し形成されて抜け止め部３ａが形成されている。これにより、被取付部１ｂに挿通された耳掛け部２が抜けて脱落してしまうのを回避することができる。尚、抜け止め部３ａは、矢印状に折り返し形成されたものに代え、左右何れか一方のみに折り返し形成されたもの等であってもよい。
【００２３】
上記の如き耳掛け部２における屈曲部２ｂを装着者の耳の上部から引掛ければ、図３で示すように、眼鏡の如くマスクを装着することが可能であり、装着時の手間をより省くことができるとともに、マスク本体１を装着者に確実に装着させることができる。また、耳掛け部２（特に装着者の耳に当てがわれる部分）が樹脂成形品から成るので、より良好な装着感を得ることができる。
【００２４】
更に、本実施形態によれば、低反発のウレタンフォームから成るマスク本体１が直接、装着者の口及びその近傍に密着して覆うので、マスク本体１が従来のフィルタとしての機能を果たし、別個のフィルタ等を不要とすることができる。従って、マスクの装着に手間がかからない。更に、別個のフィルタ等を不要とすることから、使用時にフィルタ等がずれてしまうことがなく、装着感をより向上させることができる。
【００２５】
また、マスク本体１が装着者の口及び鼻の両者を覆うため、装着者の頬及び鼻との間に隙間が生じてしまうのを確実に回避することができ、呼吸の際に浮遊物等の異物が人体に進入するのを確実に回避することができる。尚、図４に示すように、上部において内側に膨出した所定形状の膨出部１’ａ、１’ａを形成したマスク本体１’とするようにしてもよい。この場合、膨出部１’ａ、１’ａで装着者の鼻の上部を覆わせることができ、鼻とマスク本体１’との間に隙間が生じてしまうのをより確実に回避することができる。しかして、吐いた息で眼鏡等が曇ってしまうのを防止することができる。
【００２６】
以上、本実施形態について説明したが、本発明はこれに限定されるものではなく、例えば耳掛け部を他の部材から成るものに代えたり、或いはマスク本体１と一体なものとしてもよい。また、マスク本体１は、低反発のウレタンフォームから成るものであれば、例えばトルマリン等竹炭とは異なる他の材料を含有させてもよい。尚、本発明に係るマスクは、手術用、防塵作業用、風邪の予防、農作業用（農薬散布や日焼け防止等）或いは花粉対策等の何れの用途に用いるものであってもよい。
【産業上の利用可能性】
【００２７】
装着者の口及びその近傍を覆いつつ空気を透過可能なマスク本体から成るマスクであって、マスク本体が、装着者の口及びその近傍と密着し得る低反発のウレタンフォームから成るとともに、当該マスク本体の両縁には装着者の耳に引掛けて当該マスク本体を装着者に装着させ得る耳掛け部が形成されたものであれば、外観形状が異なるもの或いは他の機能が付加されたもの等にも適用することができる。
【図面の簡単な説明】
【００２８】
【図１】本発明の実施形態に係るマスクを示す全体斜視図
【図２】同マスクにおける耳掛け部を示す拡大模式図
【図３】同マスクを装着者が装着した状態を示す模式図
【図４】本発明の他の実施形態に係るマスクを裏面側から見た状態を示す斜視図
【符号の説明】
【００２９】
１    マスク本体
２    耳掛け部
３    芯部材
１’  膨出部
【図１】
2008136754.tif 000003
【図２】
2008136754.tif 000004
【図３】
2008136754.tif 000005
【図４】
2008136754.tif 000006